(57)【要約】【課題】表示装置を壁へ取り付ける場合に、スタンドを挿入する挿入溝をユーザの作業なしに確実に塞ぐことができる表示装置を提供する。【解決手段】前記挿入溝３１に設けたヒンジ部１０に蓋板２０を設けて、挿入溝３１にスタンドが挿入された場合にヒンジ部１０を中心にして蓋板２０を開き、杆体を挿入溝３１に挿入する。そして挿入した杆体を挿入溝３１に固定し、表示装置を室内に確実に起立させる。また挿入溝３１からスタンドが取り出された場合に蓋板２０を閉じ、表示装置を壁へ取り付ける場合には、前記挿入溝３１をユーザの作業なしに確実に塞ぐことができる構成とした。【選択図】図２
2010276707.tif 000002
【特許請求の範囲】
【請求項１】
映像を表示する表示パネルと、該表示パネルを収容する筐体と、該筐体内へスタンドを挿入する挿入溝とを備える表示装置において、
前記挿入溝を遮断する遮断手段を備えることを特徴とする表示装置。
【請求項２】
前記挿入溝は上下に延びており、
前記遮断手段は、前記挿入溝の一側に枢着した前記挿入溝を塞ぐ蓋体と、
前記挿入溝の他側に設けてあり、前記蓋体を係止する係止部とを備え、
前記挿入溝に前記スタンドが挿入された場合に、前記蓋体は前記スタンド側に傾倒するようにしてあること
を特徴とする請求項１に記載の表示装置。
【請求項３】
前記遮断手段は、前記蓋体を上面側から下面側へ回動させる付勢力を前記蓋体に付与する付勢部材を備えることを特徴とする請求項２に記載の表示装置。
【請求項４】
前記付勢部材は前記蓋体に設けた錘であること
を特徴とする請求項３に記載の表示装置。
【請求項５】
前記付勢部材は、前記蓋体と前記挿入溝の一側との間に設けたばねであることを特徴とする請求項３に記載の表示装置。
【請求項６】
前記付勢部材は前記蓋体の上面と前記挿入溝の一側とを連結する弾性体であることを特徴とする請求項３に記載の表示装置。
【請求項７】
前記係止部は前記挿入溝の他側と対向し、弾性部材によって前記挿入溝の他側と連結されており、
前記係止部における前記挿入溝の一側に対向する部分に、前記蓋体を係止する凹部を形成してあり、
前記係止部の下部に、上下方向に対し前記挿入溝の一側へ傾倒したテーパを形成してあること
を特徴とする請求項２から６のいずれか一つに記載の表示装置。
【請求項８】
前記遮断手段は、
前記挿入溝を塞ぐ蓋体と、
前記蓋体に付勢力を付与する付勢部材とを備え、
前記挿入溝の側面に前記蓋体を収容する収容室を設けてあり、
前記収容室と前記蓋体とを前記付勢部材を介して連結し、前記付勢部材の付勢力によって前記収容室から前記蓋体を押出すようにしてあること
を特徴とする請求項１に記載の表示装置。
【請求項９】
前記挿入溝は上下に延びており、
前記遮断手段は、
前記挿入溝を塞ぐ蓋体と、
前記挿入溝の側面に形成してあり、前記蓋体を収容する収容室と、
前記蓋体の一面又は両面に設けてある凸部と、
前記収容室に設けてあり、前記凸部を受ける受部とを備え、
収容された蓋体が前記挿入溝の内側へ向けて滑落するように前記収容室の底面が傾斜していること
を特徴とする請求項１に記載の表示装置。
【発明の詳細な説明】
【技術分野】
【０００１】
本発明は映像を表示する表示装置に関する。
【背景技術】
【０００２】
表示画面の大きさに比べて室内空間を占有する割合が小さい液晶表示装置は、限られた室内空間を有効に利用することができることから広く普及している。一般に液晶表示装置には、映像を表示する液晶表示パネルを収容する筐体にスタンドを挿入する挿入溝を設けてあり、スタンドを挿入溝に挿入して固定し、液晶表示装置を起立させる。一方液晶表示装置を壁に取り付ける場合には、スタンドを挿入溝に挿入しない（例えば特許文献１参照）。
【０００３】
スタンドを挿入溝に挿入しない場合には、ユーザが挿入溝の入口にカバーを取り付けてシールで密着し、挿入溝を介して異物が侵入し、筐体内に設置してある制御基板に不具合が発生することを防止している。
【先行技術文献】
【特許文献】
【０００４】
【特許文献１】特開２００９−４７９２１号公報
【発明の概要】
【発明が解決しようとする課題】
【０００５】
挿入溝へのカバーの取付作業は、カバーと挿入溝との位置決めを行う必要があり、ユーザにとって負担が大きい。またユーザによっては、室内の模様替えに合わせて液晶表示装置の設置位置を変えるため、液晶表示装置を壁から取り外して起立させる場合がある。この場合スタンドを挿入溝に挿入するために、挿入溝に取り付けたカバーを取り外すが、取り外したカバーは再使用することができないため廃棄される。その後、再度液晶表示装置を壁に取り付ける場合には、カバーがないため挿入溝を塞ぐことができず、異物が侵入する。
【０００６】
本発明は斯かる事情に鑑みてなされたものであり、表示装置を壁へ取り付ける場合に、スタンドを挿入する挿入溝をユーザの作業なしに確実に塞ぐことができる表示装置を提供することを目的とする。
【課題を解決するための手段】
【０００７】
本発明に係る表示装置は、映像を表示する表示パネルと、該表示パネルを収容する筐体と、該筐体内へスタンドを挿入する挿入溝とを備える表示装置において、前記挿入溝を遮断する遮断手段を備えることを特徴とする。
【０００８】
本発明においては、前記挿入溝に開閉手段を設けて、挿入溝にスタンドが挿入された場合に開閉手段を開き、表示装置を室内に確実に起立させる。また挿入溝からスタンドが取り出された場合に開閉手段を閉じて、表示装置を壁へ取り付ける場合に、前記挿入溝をユーザの作業なしに確実に塞ぐ。
【０００９】
本発明に係る表示装置は、前記挿入溝は上下に延びており、前記遮断手段は、前記挿入溝の一側に枢着した前記挿入溝を塞ぐ蓋体と、前記挿入溝の他側に設けてあり、前記蓋体を係止する係止部とを備え、前記挿入溝に前記スタンドが挿入された場合に、前記蓋体は前記スタンド側に傾倒するようにしてあることを特徴とする。
【００１０】
本発明においては、スタンドを挿入溝から抜き出した場合に、スタンド側に傾倒した蓋体は自重によって回動し、係止部にて係止する。そのため表示装置を壁へ取り付ける場合に、前記挿入溝をユーザの作業なしに塞ぐことができる。またスタンドが蓋体に当接した場合に、蓋体が容易に押し上げられる。そのため表示装置を起立させる場合にはスタンドが確実に挿入溝に挿入される。
【００１１】
本発明に係る表示装置は、前記遮断手段は、前記蓋体を上面側から下面側へ回動させる付勢力を前記蓋体に付与する付勢部材を備えることを特徴とする。
【００１２】
本発明においては、スタンドを挿入溝から抜き出した場合に、前記付勢部材の付勢力によって、蓋体を確実に回動させて係止部にて係止させるので、表示装置を壁へ取り付ける場合に、前記挿入溝をユーザの作業なしに確実に塞ぐことができる。またスタンドが蓋体に当接した場合に、前記付勢力に抗して蓋体が押し上げられる。そのため表示装置を起立させる場合にはスタンドが確実に挿入溝に挿入される。
【００１３】
本発明に係る表示装置は、前記付勢部材は前記蓋体に設けた錘であることを特徴とする。
【００１４】
本発明においては、蓋体に設けた錘の重力によって、枢着された蓋体が上面側から下面側へ回動し、ユーザの作業なしに挿入溝が塞がれる。またスタンドが蓋体に当接した場合に、錘の重力に抗して蓋体が押し上げられるので、スタンドが円滑に挿入溝に挿入される。
【００１５】
本発明に係る表示装置は、前記付勢部材は、前記蓋体と前記挿入溝の一側との間に設けたばねであることを特徴とする。
【００１６】
本発明においては、前記蓋体と前記挿入溝の一側との間にばねを設けることで、ばねの付勢力によって蓋体は上面側から下面側へ回動し、ユーザの作業なしに挿入溝が確実に塞がれる。またスタンドが蓋体に当接した場合に、ばねの付勢力に抗して蓋体が押し上げられるので、スタンドが円滑に挿入溝に挿入される。
【００１７】
本発明に係る表示装置は、前記付勢部材は前記蓋体の上面と前記挿入溝の一側とを連結する弾性体であることを特徴とする。
【００１８】
本発明においては、前記蓋体の上面と前記挿入溝の一側とを弾性体、例えばばねで連結することで、ばねの付勢力によって蓋体は上面側から下面側へ回動し、ユーザの作業なしに挿入溝が確実に塞がれる。またスタンドが蓋体に当接した場合に、ばねの付勢力に抗して蓋体が押し上げられるので、スタンドが円滑に挿入溝に挿入される。
【００１９】
本発明に係る表示装置は、前記係止部は前記挿入溝の他側と対向し、弾性部材によって前記挿入溝の他側と連結されており、前記係止部における前記挿入溝の一側に対向する部分に、前記蓋体を係止する凹部を形成してあり、前記係止部の下部に、上下方向に対し前記挿入溝の一側へ傾倒したテーパを形成してあることを特徴とする。
【００２０】
本発明においては、挿入溝にスタンドを挿入した場合に、スタンドが前記テーパに当接し、係止部が押圧されて弾性部材が収縮し、係止部が挿入溝から退出する。このとき凹部は蓋体から離間し、蓋体の係止が解除され、蓋体はスタンドによって押し上げられる。換言すればスタンドで係止部を押圧しない限り、蓋体は閉じており、誤ってユーザが挿入溝に手を入れても負傷することはない。
【００２１】
本発明に係る表示装置は、前記遮断手段は、前記挿入溝を塞ぐ蓋体と、前記蓋体に付勢力を付与する付勢部材とを備え、前記挿入溝の側面に前記蓋体を収容する収容室を設けてあり、前記収容室と前記蓋体とを前記付勢部材を介して連結し、前記付勢部材の付勢力によって前記収容室から前記蓋体を押出すようにしてあることを特徴とする。
【００２２】
本発明においては、蓋体を収容室から押出し、蓋体にて挿入溝を確実に塞ぐ。またスタンドが蓋体に当接した場合に、蓋体が押圧されて付勢部材が収縮し、蓋体は収容室に収容されるので、スタンドが円滑に挿入溝に挿入される。
【００２３】
本発明に係る表示装置は、前記挿入溝は上下に延びており、前記遮断手段は、前記挿入溝を塞ぐ蓋体と、前記挿入溝の側面に形成してあり、前記蓋体を収容する収容室と、前記蓋体の一面又は両面に設けてある凸部と、前記収容室に設けてあり、前記凸部を受ける受部とを備え、収容された蓋体が前記挿入溝の内側へ向けて滑落するように前記収容室の底面が傾斜していることを特徴とする。
【００２４】
本発明においては、蓋体は収容室から自重によって滑落し、前記凸部が前記受部にて係止することで、挿入溝を確実に塞ぐことができる。またスタンドが蓋体に当接した場合に、蓋体は押し上げられて収容室に収容されるので、スタンドを円滑に挿入溝に挿入することができる。
【発明の効果】
【００２５】
本発明に係る表示装置にあっては、前記挿入溝に開閉手段を設けて、挿入溝にスタンドが挿入された場合に開閉手段を開き、表示装置を室内に確実に起立させる。また挿入溝からスタンドが取り出された場合に開閉手段を閉じて、表示装置を壁へ取り付ける場合に、前記挿入溝をユーザの作業なしに確実に塞ぐことができる。
【図面の簡単な説明】
【００２６】
【図１】実施の形態１に係る表示装置を略示する斜視図である。
【図２】図１におけるＩＩ−ＩＩ線での略示縦断面図である。
【図３】蓋板付近を略示する平面図である。
【図４】スタンドの挿入溝へ取り付け及び取り外しを説明する説明図である。
【図５】スタンドの挿入溝へ取り付け及び取り外しを説明する説明図である。
【図６】スタンドの挿入溝へ取り付け及び取り外しを説明する説明図である。
【図７】実施の形態１に係る表示装置の変形例１を略示する縦側面断面図である。
【図８】実施の形態１に係る表示装置の変形例２を略示する縦側面断面図である。
【図９】実施の形態１に係る表示装置の変形例３を略示する縦側面断面図である。
【図１０】実施の形態２に係る表示装置を略示する縦側面断面図である。
【図１１】実施の形態３に係る表示装置を略示する縦側面断面図である。
【発明を実施するための形態】
【００２７】
（実施の形態１）
以下本発明を実施の形態１に係る表示装置を示す図面に基づいて詳述する。図１は表示装置を略示する斜視図、図２は図１におけるＩＩ−ＩＩ線での略示縦断面図、図３は蓋板付近を略示する平面図である。
【００２８】
図において１は矩形枠形の前キャビネットであり、該前キャビネット１は矩形の表示パネル２の周囲に配置してある。前キャビネット１の開口の寸法は表示パネル２に対応した寸法となっている。表示パネル２１は液晶を備えており、該液晶への印加電圧を制御して光の透過率を調整し、映像を表示するように構成されている。前キャビネット１の後側には、前側が開放してある矩形箱形の後キャビネット３が設けてあり、該後キャビネット３の縁部分は前キャビネット１に対向している。なお前キャビネット１は縁部分に爪部（図示せず）を備え、後キャビネット３は該爪部に対応する係合凹部（図示せず）を備えており、爪部と係合凹部とを係合させてある。
【００２９】
後キャビネット３には、前側を開放した矩形箱形のバックライトシャーシ４が収容してある。該バックライトシャーシ４の前面には、光を前方へ反射する矩形の反射シート５を設けてある。反射シート５の適所に貫通した複数の孔（図示せず）が設けてあり、該孔に図示しないランプクリップを挿通してバックライトシャーシ４に取り付けてある。ランプクリップによって複数の蛍光管６がバックライトシャーシ４の内側にて支持してある。
【００３０】
バックライトシャーシ４の前側に蛍光管６の光を拡散する拡散板７が設けてある。該拡散板７の前面には拡散した光を表示パネル２へ向けて集光する光学シート８が貼付してある。該光学シート８の前側に前記表示パネル２が配してある。なお表示パネル２は図示しない制御基板によって駆動が制御されており、蛍光管６に印加される電圧の周波数は、図示しないインバータ基板によって制御されている。
【００３１】
前記後キャビネット３の下面に、スタンド５０を挿入する二つの挿入口３０、３０がそれぞれ左右に開設してある。該挿入口３０、３０には、上側に延びる挿入溝３１がそれぞれ連なっており、該挿入溝３１は後キャビネット３の中央部まで延びる。挿入溝３１は互いに対向する前後側面を備える。後キャビネット３の後面の前記挿入溝３１に対向する部分に、前後に貫通した筒状の二つのボス孔３ａ、３ａが上下に設けてある。
【００３２】
図２に示すように、前記挿入溝３１の下部の前側面にヒンジ部１０が設けてある。図３に示すように、ヒンジ部１０は、前記挿入溝３１の前側面にて左右に並置され、後方へ突出した二つの支持部１１、１１を備えている。該支持部１１、１１の互いに対向する部分には有底円筒形の係合孔１２、１２が設けてある。
前記挿入溝３１内に挿入溝３１を塞ぐ蓋板２０が配してある。該蓋板２０の前縁部の左右に、左右方向に突出した枢軸１３、１３が設けてあり、該枢軸１３、１３は前記係合孔１２、１２に係合している。前記蓋板２０の後縁部の上側には錘２１が固定してある。また蓋板２０の後縁部の先端は外側に張り出した曲面状に形成してある。
【００３３】
前記ヒンジ部１０に対向するようにブロック状の係止部４０が挿入溝３１の後側面に配してある。該係止部４０は前記ヒンジ部１０に対向する部分に、後側に窪んだ凹部４１を備えており、該凹部４１に前記蓋板２０の後縁部が係止されている。図４に示すように、係止部４０の下部には上下方向に対して傾斜したテーパ４２が形成してあり、該テーパ４２は後方に向かうに従って下がるように傾斜している。すなわちテーパ４２は挿入溝３１の前側面へ向けて傾倒している。
【００３４】
挿入溝３１の後側面に、後方に窪んだ収納室３１ａが形成してあり、該収納室３１ａは、係止部４０の後部に対向している。収納室３１ａと係止部４０の後部とは弾性部材としてのばね４３を介して連結されている。係止部４０の上下に、上下方向に垂直な案内板４４、４４が設けてある。該案内板４４、４４は挿入溝３１の後側面から前側へ延出している。前記係止部４０は、案内板４４の延出端よりも前側に突出している。係止部４０に付勢力が作用した場合に、両案内板４４、４４の間で係止部４０は前後に案内される。なおばね４３に代えてゴムなどの他の弾性体を使用しても良い。
【００３５】
前記挿入溝３１の前側面に、雌ねじを内側に形成した二つのねじ孔３１ｂ、３１ｂが上下に設けてあり、該ねじ孔３１ｂは前記ボス孔３ａに対向している。ボス孔３ａに挿入された雄ねじ３５はねじ孔３１ｂにて螺合される。
【００３６】
本発明に係る表示装置を支持するスタンド５０は、図１に示すように、横長板状のベース部５１と、該ベース部５１の左右端部に設けたブロック状の二つのストッパ部５２、５２と、該ストッパ部５２、５２に立設しており、後側が開放された平面視コの字形の杆体５３、５３とを備える。該杆体５３の前部には二つの貫通孔５３ａが上下に設けてある。杆体５３の前後寸法は、前記案内板４４の前端と挿入溝３１の前側面との間の寸法よりも僅かに小さい。また杆体５３の左右寸法は前記挿入口３０よりも僅かに小さい。前記ストッパ部５２の前後及び／又は左右寸法は前記挿入口３０よりも大きい。そのため杆体５３を前記挿入口３０に挿入した場合に、該ストッパ部５２が挿入口３０に当接する。
【００３７】
本発明に係る表示装置を起立させる場合には、スタンド５０を挿入口３０に挿入する。図４〜図６は、スタンド５０の挿入溝３１へ取り付け及び取り外しを説明する説明図である。
【００３８】
図４に示すように、挿入口３０に挿入された杆体５３の先端部は係止部４０のテーパ４２に当接する。このとき杆体５３からの押圧力がテーパ４２によって後方への荷重に変換され、係止部４０は前記案内板４４に沿って後方へ移動し、前記蓋板２０の後縁部が前記凹部４１から外れる。更に杆体５３が上方に挿入されると、図５の実線矢印にて示すように、杆体５３の後部が凹部４１の前側を押圧し、係止部４０は挿入溝３１の後側面に近接する。このとき前記ばね４３が圧縮され、圧縮したばね４３は前記収納室３１ａに収納される。また杆体５３の前部が前記蓋板２０に当接し、錘２１の重力に抗して蓋板２０を押し上げる。押し上げられた蓋板２０は前記ヒンジ部１０を中心にして前側へ回動する。
【００３９】
更に杆体５３が上方へ挿入されると、図６に示すように、前記ストッパ部５２が挿入口３０に当接し、杆体５３の挿入が止まる。このとき杆体５３に設けてある貫通孔５３ａが前記ボス孔３ａ及びねじ孔３１ｂに対向する。そしてボス孔３ａ及び貫通孔５３ａに雄ねじ３５を挿通させて、ねじ孔３１ｂにて雄ねじ３５を螺合させることで、杆体５３が挿入溝３１に固定される。このとき前記蓋板２０は錘２１の重力によって後側へ傾倒しており、杆体５３に接触している。
【００４０】
前記雄ねじ３５をねじ孔３１ｂから取り外して、杆体５３を下側へ抜き出した場合には、図５の破線矢印にて示すように、杆体５３の先端部分が前記ヒンジ部１０付近に位置したときに錘２１の重力によって、蓋板２０はヒンジ部１０を中心にして下側へ回動する。そして更に杆体５３を下側へ抜き出すと、図４に示すように、ヒンジ部１０よりも下方に杆体５３の先端部分が位置したときに、前記係止部４０がばね４３の付勢力によって前方へ移動し、蓋板２０の後縁部が凹部４１にて係止され、挿入溝３１が塞がれる。なお杆体５３に接触している蓋板２０の後縁部には曲面が形成してあるので、挿入溝３１に対する杆体５３の挿入又は抜き出し時に、蓋板２０が杆体５３に引っ掛かることはない。
【００４１】
実施の形態１に係る表示装置にあっては、前記挿入溝３１に設けたヒンジ部１０に蓋板２０を設けて、挿入溝３１にスタンド５０が挿入された場合にヒンジ部１０を中心にして蓋板２０を開き、杆体５３を挿入溝３１に挿入する。そして挿入した杆体５３を挿入溝３１に固定し、表示装置を室内に確実に起立させる。またユーザが挿入溝３１からスタンド５０を取り出した場合に、錘２１の重力によって蓋板２０が閉じるので、表示装置を壁へ取り付ける場合に、前記挿入溝３１をユーザの作業なしに確実に塞ぐことができる。
【００４２】
また前記錘２１の重力によって、ヒンジ部１０を中心にして蓋板２０を回動させて蓋板２０を凹部４１にて係止し、表示装置を壁へ取り付ける場合に、前記挿入溝３１をユーザの作業なしに確実に塞ぐ。またスタンド５０が蓋板２０に当接した場合に、前記錘２１の重力に抗して蓋板２０が押し上げられ、挿入溝３１が開く。そのため表示装置を起立させる場合にはスタンド５０が確実且つ円滑に挿入溝３１に挿入される。
【００４３】
また挿入溝３１にスタンド５０を挿入した場合に、スタンド５０が前記テーパ４２に当接し、係止部４０が押圧されてばね４３が収縮し、後方へ移動して係止部４０が挿入溝３１から退出する。このとき凹部４１は蓋板２０の後縁部から離間して蓋板２０の係止が解除されるため、スタンド５０によって押し上げられ、蓋板２０が開く。換言すればスタンド５０で係止部４０を押圧しない限り、蓋板２０は閉じており、ユーザが挿入溝３１に誤って手を入れても負傷することはない。
【００４４】
実施の形態１に係る表示装置は、錘２１を蓋体２０に設けてあるが、錘２１を蓋体２０に設けずに、挿入溝３１にスタンド５０を挿入した場合に、蓋体２０が自重によって後側に傾倒して杆体５３に接触するようにしても良い。この場合、挿入溝３１からスタンド５０を抜き出した場合に、自重によって蓋体２０が挿入溝３１を塞ぐことは言うまでもない。また枢軸１３及び係合孔１２を有するヒンジ部１０によって、蓋板２０を回動させているが、該ヒンジ部１０に代えて蓋板２０の前縁部を薄肉に形成し、薄肉部分をヒンジ部１０としても良い。また実施の形態１に係る表示装置は、蓋板２０の後縁部に錘２１を設けているが、蓋板２０の後縁部を圧肉に形成し、圧肉に形成した部分を錘２１としても良い。また蓋板２０の前縁部をヒンジ部１０を介して挿入溝３１に連結しているが、蓋板２０の左右端部又は後縁部をヒンジ部１０を介して挿入溝３１に連結する構成としても良い。また前記ヒンジ部１０を挿入溝３１の後側面に設け、係止部４０を挿入溝３１の前側面に配して、上下方向に対し前方に向かうに従って下がるように傾斜したテーパ４２を係止部４０に形成しても良い。
【００４５】
次に実施の形態１に係る表示装置の変形例について説明する。図７は実施の形態１に係る表示装置の変形例１を略示する縦側面断面図である。
前記枢軸１３にばね１５が周設してあり、該ばね１５によって、蓋板２０は後方へ付勢されている。杆体５３が挿入されていない場合には、実施の形態１と同様に、蓋板２０は係止部４０にて係止されている。
【００４６】
変形例１に係る表示装置にあっては、前記枢軸１３にばね１５を設けることで、ばね１５の付勢力によって蓋板２０は後方へ回動し、ユーザの作業なしに挿入溝３１が確実に塞がれる。またスタンド５０が蓋板２０に当接した場合に、ばね１５の付勢力に抗して蓋板２０が押し上げられるので、スタンド５０が円滑に挿入溝３１に挿入される。
【００４７】
図８は実施の形態１に係る表示装置の変形例２を略示する縦側面断面図である。変形例２に係る表示装置においては、蓋板２０の上面と挿入溝３１の前側面とがばね１６によって連結してある。該ばね１６によって蓋板２０は後方へ付勢されている。杆体５３が挿入されていない場合には、実施の形態１と同様に、蓋板２０は係止部４０にて係止されている。
【００４８】
変形例２に係る表示装置にあっては、前記蓋板２０の上面と前記挿入溝３１の前側面とをばね１６で連結することで、ばね１６の付勢力によって蓋板２０は後方へ回動し、ユーザの作業なしに挿入溝３１が確実に塞がれる。またスタンド５０が蓋板２０に当接した場合に、ばね１６の付勢力に抗して蓋板２０が押し上げられ、スタンド５０が円滑に挿入溝３１に挿入される。なおばね１６に代えてゴムなどの他の弾性体を使用しても良い。
【００４９】
図９は実施の形態１に係る表示装置の変形例３を略示する縦側面断面図である。変形例３に係る表示装置においては、後キャビネット３に固着された係止部６０を備えており、該係止部６０は挿入溝３１内に延出した板状をなす。蓋板２０の後縁部を係止部６０に載置させることによって挿入溝３１を塞ぐようにしてある。
【００５０】
（実施の形態２）
以下本発明を実施の形態２に係る表示装置を示す図面に基づいて詳述する。図１０は表示装置を略示する縦側面断面図である。
図１０に示すように、前キャビネット１内に蓋板７０を収容する扁平な収容室１ａが設けてある。該収容室１ａは上下方向に直交する平面と同一平面上にあり、前記挿入溝３１に連なっている。該収容室１ａには蓋板７０が収容してあり、蓋板７０の前縁部と収容室１ａの奥部（前部）とが付勢部材としてのばね７１を介して連結されている。なおばね７１に代えてゴムなどの他の付勢部材を使用しても良い。
【００５１】
前記蓋板７０の後縁部にはテーパ７０ａが形成されている。該テーパ７０ａは上下方向に対し、後方に向かうに従って上がるように傾斜している。前記杆体５３の先端部にはテーパ５３ｂが形成されており、該テーパ５３ｂは上下方向に対し、後方に向かうに従って上がるように傾斜している。
【００５２】
蓋板７０はばね７１の付勢力によって挿入溝３１内へ進出し、挿入溝３１を塞ぐ。杆体５３が挿入口３０から挿入された場合には、杆体５３のテーパ５３ｂが蓋板７０のテーパ７０ａに当接し、両テーパ５３ｂ、７０ａによって杆体５３の押圧力が前方への荷重に変換され、ばね７１の付勢力に抗して蓋板２０が収容室１ａに収容される。
【００５３】
実施の形態２に係る表示装置にあっては、蓋板２０を収容室１ａから挿入溝３１へ向けて付勢し、蓋板２０にて挿入溝３１を確実に塞ぐ。また杆体５３が蓋板２０に当接した場合に、蓋板２０が押圧されてばね７１が収縮し、蓋板２０は収容室１ａに収容されるので、スタンド５０が円滑に挿入溝３１に挿入される。
【００５４】
実施の形態２に係る表示装置の構成の内、実施の形態１に係る表示装置と同様な構成については同じ符号を付し、その詳細な説明を省略する。
【００５５】
（実施の形態３）
以下本発明を実施の形態３に係る表示装置を示す図面に基づいて詳述する。図１１は表示装置を略示する縦側面断面図である。
図１１に示すように、前記挿入溝３１の前側面に、蓋板８０を収容する扁平な収容室１ｂが開口を備えるように形成してある。該収容室１ｂの底面は上下方向に対し、後方に向かうに従って下がるように傾斜している。すなわち収容室１ｂの内奥側から開口側へ向けて底面が傾斜している。収容室１ｂには蓋板８０が収容してあり、該蓋板８０の前縁部には上下に突出した二つの凸部８１、８１が設けてある。また蓋板８０の後縁部には錘８３が設けてある。該錘８３には杆体５３に引っ掛かることを防止するためのテーパが形成してある。なお蓋板８０の後縁先端部は外側に張り出した曲面状に形成され、挿入溝３１に対する杆体５３の挿入又は抜き出し時に、杆体５３に引っ掛からないようにしてある。
【００５６】
前記収容室１ｂの開口には、収容室１ｂ内に向けて突出した二つの受部８２、８２が設けてあり、該受部８２は前記凸部８１、８１に対応している。前記杆体５３の先端部にはテーパ５３ｂが形成されており、該テーパ５３ｂは上下方向に対し、後方に向かうに従って上がるように傾斜している。
【００５７】
蓋板８０は自重及び錘８３の重力によって挿入溝３１内へ進出し、挿入溝３１を塞ぐ。このとき前記凸部８１が前記受部８２にて係止される。杆体５３が挿入口３０から挿入された場合には、杆体５３のテーパ５３ｂが蓋板８０に当接し、該テーパ５３ｂによって杆体５３の押圧力が前方への荷重に変換され、蓋板８０の自重及び錘８３の重力に抗して蓋板２０が収容室１ｂに収容される。
【００５８】
実施の形態３に係る表示装置にあっては、蓋板２０は収容室１ｂから自重及び錘８３の重力によって滑落し、前記凸部８１が前記受部８２にて係止されるので、挿入溝３１を確実に塞ぐことができる。また杆体５３が蓋板２０に当接した場合に、蓋板２０は押し上げられて収容室１ｂに収容されるので、スタンド５０を円滑に挿入溝３１に挿入することができる。
【００５９】
実施の形態３に係る表示装置は錘８３を蓋板８０に取り付けているが、錘８３を蓋板８０から取り外した構成であっても良い。また凸部８１及び受部８２をそれぞれ二つ設けているが凸部８１及び受部８２をそれぞれを一つにしても良い。
【００６０】
実施の形態３に係る表示装置の構成の内、実施の形態１又は２に係る表示装置と同様な構成については同じ符号を付し、その詳細な説明を省略する。
【符号の説明】
【００６１】
１  表示パネル
１ａ、１ｂ  収容室
２  前キャビネット（筐体）
３  後キャビネット（筐体）
１０  ヒンジ部
１５  ばね
１６  ばね（弾性体）
２０、７０、８０  蓋板（蓋体）
２１  錘（付勢部材）
３０  挿入口
３１  挿入溝
４０、６０  係止部
４１  凹部
４２  テーパ
４３  ばね（弾性部材）
５０  スタンド
７１  ばね（付勢部材）
８１  凸部
８２  受部
【図１】
2010276707.tif 000003
【図２】
2010276707.tif 000004
【図３】
2010276707.tif 000005
【図４】
2010276707.tif 000006
【図５】
2010276707.tif 000007
【図６】
2010276707.tif 000008
【図７】
2010276707.tif 000009
【図８】
2010276707.tif 000010
【図９】
2010276707.tif 000011
【図１０】
2010276707.tif 000012
【図１１】
2010276707.tif 000013